(57)【要約】【課題】  他のマルチメディアデータ再生装置へ転送する場合に再度暗号化を行う必要が無く、利用者の利便性を向上させることができるマルチメディアデータ再生装置を提供する。【解決手段】  マルチメディアデータのソース装置より暗号化されて転送された暗号化マルチメディアデータを復号化して再生するマルチメディアデータ再生装置において、前記転送された暗号化マルチメディアデータを復号する復号手段と、データを記憶するための複数のフォルダを有する記憶手段とを具備し、前記復号化されたマルチメディアデータと、暗号化されたままの暗号化マルチメディアデータとを別々のフォルダに保存する構成となっている。【選択図】      図５
2006085305.tif 000002
【特許請求の範囲】
【請求項１】
マルチメディアデータのソース装置より暗号化されて転送された暗号化マルチメディアデータを復号化して再生するマルチメディアデータ再生装置において、
前記転送された暗号化マルチメディアデータを復号する復号手段と、
データを記憶するための複数のフォルダを有する記憶手段とを具備し、
前記復号化されたマルチメディアデータと、暗号化されたままの暗号化マルチメディアデータとを別々のフォルダに保存することを特徴とするマルチメディアデータ再生装置。
【請求項２】
請求項１のマルチメディアデータ再生装置において、復号化できなかった暗号化されたままの暗号化マルチメディアデータを、さらに別のフォルダに保存することを特徴とするマルチメディアデータ再生装置。
【請求項３】
請求項１あるいは２のマルチメディアデータ再生装置において、前記復号化されたマルチメディアデータと、暗号化されたままの暗号化マルチメディアデータとを別々のフォルダに保存する動作が、前記マルチメディアデータのソース装置よりのマルチメディアデータの転送時に行われることを特徴とするマルチメディアデータ再生装置。
【請求項４】
請求項１あるいは２のマルチメディアデータ再生装置において、前記復号化されたマルチメディアデータと、暗号化されたままの暗号化マルチメディアデータとを別々のフォルダに保存する動作が、前記マルチメディアデータのソース装置よりのマルチメディアデータの再生時に行われることを特徴とするマルチメディアデータ再生装置。
【請求項５】
マルチメディアデータのソース装置より暗号化されて転送された暗号化マルチメディアデータを復号化して再生するマルチメディアデータ再生方法において、
前記復号化されたマルチメディアデータと、暗号化されたままの暗号化マルチメディアデータとを別々のフォルダに保存するステップを具備することを特徴とするマルチメディアデータ再生方法。
【請求項６】
請求項５のマルチメディアデータ再生方法において、前記復号化されたマルチメディアデータと、暗号化されたままの暗号化マルチメディアデータとを別々のフォルダに保存するステップが、前記マルチメディアデータのソース装置よりのマルチメディアデータの転送時に行われることを特徴とするマルチメディアデータ再生方法。
【請求項７】
請求項５のマルチメディアデータ再生方法において、前記復号化されたマルチメディアデータと、暗号化されたままの暗号化マルチメディアデータとを別々のフォルダに保存するステップが、前記マルチメディアデータのソース装置よりのマルチメディアデータの再生時に行われることを特徴とするマルチメディアデータ再生方法。
【発明の詳細な説明】
【技術分野】
【０００１】
この発明は、マルチメディアデータのソース装置より転送された暗号化マルチメディアデータを復号化して再生するマルチメディアデータ再生装置に関し、特に、他のマルチメディアデータ再生装置へ転送する場合に再度暗号化を行う必要が無く、利用者の利便性を向上させることができるマルチメディアデータ再生装置に関するものである。
【背景技術】
【０００２】
従来のデジタルカメラの如きマルチメディアデータのソース装置においては、記録した画像を第３者が自由に見ることが出来てしまい、例えば、そのソース装置を紛失したり盗難された場合に何ら機密を保護する手段が無いという問題があった。
そこで、デジタルカメラの如きマルチメディアデータのソース装置において暗号化されて転送された暗号化マルチメディアデータを復号化して再生するパソコンの如きマルチメディアデータ再生装置からなるマルチメディアシステムが提案されている。
すなわち、装置内の画像記録用メモリをパスワードにより保護したり（例えば、特許文献１参照）、ＰＣで作成した鍵を用いて暗号化を行う方法（例えば、特許文献２参照）などが提案されている。
なお、先行技術としては、特開２０００−１２５２３７公報には、撮影された画像信号をデジタル化して記憶するデジタルカメラにおいて、モードダイヤルを登録位置に入力し、ＣＰＵの制御の下に、矢印ボタンを押してディスプレイ装置に表示する１文字を順次変えることにより所望の文字を選することによりパスワードを入力し、ＣＰＵが前記パスワードをデータメモリに入力した状態で撮影ボタンを押し、そのときの撮像ユニットからの画像信号をＡＤ変換器によりデジタル化した画像データを入力されている前記パスワードに対応付けて前記パスワードと共にデータメモリに記憶する技術について開示されている。また、画像データ再生時、入力されたパスワードを前記画像データに対応付けて記憶されているパスワードと照合し、一致したときのみ、前記パスワードに対応付けられた当該画像データを再生する技術について開示されている。
また特開２０００−２９９８４７公報には、デジタルカメラは、自機の固有情報をホストコンピュータに送出し、ホストコンピュータは受信した固有情報に基づき暗号キーを作成してデジタルカメラに送出し、デジタルカメラは、受信した暗号キーに基づき撮像した画像データを暗号化する技術について開示されている。
また特開平１１−２２０６８６号公報には、シャッターボタンが押されると、ＣＰＵはタイマから時刻を取得し、それをＲＡＭに記憶すると同時に、ＣＣＤから撮影画像データを取得してＲＡＭに収容し、収容した画像データを圧縮する。ＥＥＰＲＯＭからシーケンス番号を取り出すと同時に、シーケンス番号に１加えたシーケンス番号をＥＥＰＲＯＭに記録する。圧縮した画像データの先頭にシーケンス番号と、時刻データとを付加する。できあがった画像情報に対してメッセージダイジェストアルゴリズムを使用したメッセージダイジェストを計算する。ＥＥＰＲＯＭから秘密鍵を読み出し、メッセージダイジェストを暗号化する。得られた署名を先の画像情報の最後に付加して一塊の撮影情報とし、外部メモリに記録する技術について開示されている。
【特許文献１】特開２０００−１２５２３７公報
【特許文献２】特開２０００−２９９８４７公報
【特許文献３】特開平１１−２２０６８６号公報
【発明の開示】
【発明が解決しようとする課題】
【０００３】
しかしながら、上記従来のデジタルカメラの如きマルチメディアデータのソース装置において暗号化されて転送された暗号化マルチメディアデータを復号化して再生するパソコンの如きマルチメディアデータ再生装置からなるマルチメディアシステムにおいては、そのマルチメディアデータをさらに他のマルチメディアデータ再生装置へ転送する場合に対する考慮がなされておらず、その様な場合には、再度暗号化を行って転送したり、データを中継できないといった不具合もあった。
本発明は、上記の様な状況を鑑みなされたもので、その目的は、他のマルチメディアデータ再生装置へ転送する場合に再度暗号化を行う必要が無く、利用者の利便性を向上させることができるマルチメディアデータ再生装置を提供することである。
【課題を解決するための手段】
【０００４】
上述の目的を達成するために、請求項１記載の発明は、マルチメディアデータのソース装置より暗号化されて転送された暗号化マルチメディアデータを復号化して再生するマルチメディアデータ再生装置において、前記転送された暗号化マルチメディアデータを復号する復号手段と、データを記憶するための複数のフォルダを有する記憶手段とを具備し、前記復号化されたマルチメディアデータと、暗号化されたままの暗号化マルチメディアデータとを別々のフォルダに保存することを特徴とする。
また、請求項２記載の発明は、請求項１のマルチメディアデータ再生装置において、復号化できなかった暗号化されたままの暗号化マルチメディアデータを、さらに別のフォルダに保存することを特徴とする。
また、請求項３記載の発明は、請求項１あるいは２のマルチメディアデータ再生装置において、前記復号化されたマルチメディアデータと、暗号化されたままの暗号化マルチメディアデータとを別々のフォルダに保存する動作が、前記マルチメディアデータのソース装置よりのマルチメディアデータの転送時に行われることを特徴とする。
また、請求項４記載の発明は、請求項１あるいは２のマルチメディアデータ再生装置において、前記復号化されたマルチメディアデータと、暗号化されたままの暗号化マルチメディアデータとを別々のフォルダに保存する動作が、前記マルチメディアデータのソース装置よりのマルチメディアデータの再生時に行われることを特徴とする。
また、請求項５記載の発明は、マルチメディアデータのソース装置より暗号化されて転送された暗号化マルチメディアデータを復号化して再生するマルチメディアデータ再生方法において、前記復号化されたマルチメディアデータと、暗号化されたままの暗号化マルチメディアデータとを別々のフォルダに保存するステップを具備することを特徴とする。
また、請求項６記載の発明は、請求項５のマルチメディアデータ再生方法において、前記復号化されたマルチメディアデータと、暗号化されたままの暗号化マルチメディアデータとを別々のフォルダに保存するステップが、前記マルチメディアデータのソース装置よりのマルチメディアデータの転送時に行われることを特徴とする。
また、請求項７記載の発明は、請求項５のマルチメディアデータ再生方法において、前記復号化されたマルチメディアデータと、暗号化されたままの暗号化マルチメディアデータとを別々のフォルダに保存するステップが、前記マルチメディアデータのソース装置よりのマルチメディアデータの再生時に行われることを特徴とする。
【発明の効果】
【０００５】
本発明によれば、復号化したデータと、暗号化されたままのデータとを別々に保存する様に構成されているので、暗号化されたままのデータを他のマルチメディアデータ再生装置へ転送する場合に再度暗号化を行う必要が無く、ひいては利用者の利便性が向上するという効果がある。
また、他の発明によれば、復号化できなかったデータを、暗号化されたままの状態で保存する様に構成されているので、暗号化されたデータを他のマルチメディアデータ再生装置へ転送する場合において、一旦別の再生装置を経由することができ、ひいては利用者の利便性が向上するという効果がある。
また、他の発明によれば、暗号化されたままのデータを別フォルダへ保存する様に構成されているので、暗号化されたデータを他のマルチメディアデータ再生装置へ転送する場合において、転送すべきデータを容易に判別でき、ひいては利用者の利便性が向上するという効果がある。
【発明を実施するための最良の形態】
【０００６】
以下に添付の図を参照してこの発明の実施形態を詳細に説明する。
（実施例）
以下に本発明の実施形態について、デジタルスチルカメラシステムと、その画像の転送動作（実施形態１）及び、再生動作（実施形態２）を例に説明する。
図１は、本発明によるマルチメディアデータ再生装置を有するデジタルスチルカメラシステムの一実施形態のブロック構成図である。
図１に示すように、このデジタルスチルカメラシステムは、デジタルスチルカメラ装置（マルチメディアデータのソース装置）１と、デジタルスチルカメラ装置１とＵＳＢ等で接続されるとともに、デジタルスチルカメラ装置１からの画像データ等のマルチメディアデータを転送して再生するためにＣＰＵ１１Ａ、ＲＡＭ１１Ｂ、ＲＯＭ１１Ｃ等からなるパソコン等のマルチメディアデータ再生装置（画像再生装置）１１とを有しており、デジタルスチルカメラ装置１は、ＣＰＵ、フラッシュメモリ、ＳＤＲＡＭ、タイマ−等からなり、デジタルスチルカメラ装置１全体の制御を行うために設けられたシステム制御部２と、光学系部品（レンズ及びレンズ駆動モータ）、ＣＣＤ、ＣＣＤ駆動回路、Ａ／Ｄ変換器等からなり、撮像のために設けられた撮像部３と、画像処理用ＤＳＰ（デジタルシグナルプロセッサ）、ＲＡＭ等からなり、撮像部３で得られた画像信号に種々の画像処理を施すと共に、撮像部３のＣＣＤ駆動タイミング、レンズ駆動モータを制御してズーミング、フォーカシング、露出調整等を行うと共に、画像の圧縮伸長を行うために設けられた画像処理部４と、Ｄ／Ａ変換器、オンスクリーンディスプレイコントローラ等からなり、画像処理部４で処理された画像信号をＬＣＤへ表示するための信号処理を行うと共に、ユーザーインターフェイスのための種々のグラフィック画像を生成しＬＣＤへ表示するために設けられた表示制御部５と、画像やユーザーインターフェイスのためのグラフィックを表示するために設けられたＬＣＤ６と、メモリカードコントローラ等からなり、記録メディアとのインターフェイスのために設けられた記録メディアインターフェイス部７と、フラッシュメモリ等からなり、圧縮された画像信号や画像に纏わる種々の情報を記憶するためにデジタルスチルカメラ装置１から着脱可能に設けられた記録メディア８と、サブＣＰＵ等からなり、図示されていないキーやダイアル等のユーザーインターフェイスの状態検出を行い、またメインＣＰＵへの主電源制御を行うために設けられたハードキーインターフェイス部９と、通信カードコントローラ等からなり、各種通信モジュールを接続してデータ通信を行うために設けられた通信インターフェイス部１０と、を有している。
そして、上記マルチメディアデータ再生装置（画像再生装置）１１のＲＡＭ１１Ｂには、図２に示すように、転送動作時に通常の（暗号化されていない）ファイルと復号したファイルを保存するためのdataフォルダ１１Ｂ１と、転送動作時に暗号化されたままのデータを保存するためのCryptDataフォルダ１１Ｂ２と、転送動作時に復号できなかったデータを保存するためのCryptData/undecryptフォルダ１１Ｂ３と、再生動作時に復号したデータを保存するための再生ファイルの置かれている下の/decryptフォルダ１１Ｂ４と、再生動作時に復号できなかった暗号データの元ファイルを移動するための再生ファイルの置かれている下の/undecryptフォルダ１１Ｂ５とが設けられている。
また、上記デジタルスチルカメラ装置（マルチメディアデータのソース装置）１よりのデータとしては、静止画、動画、音声以外のマルチメディアデータも適用できる。
【０００７】
次に、鍵生成時の動作、及び、デジタルスチルカメラ装置１での撮影・再生時の動作について簡単に説明する。
まず、画像再生装置１１において鍵の生成処理が選択・起動されると、画像再生装置の制御部（ＣＰＵ１１Ａ）は、デジタルカメラ装置１が接続されているか否かを確認する。画像再生装置１１にデジタルカメラ装置１が接続されている場合は、画像処理装置１１は、ＲＳＡなどの公開暗号鍵に基づく鍵ペアを生成する。鍵ペアを生成する際には、画像処理装置１１の制御部は、その時の日時や表示状態、メモリ状態などをシードとして鍵ペアを生成する。なお、画像再生装置１１にデジタルカメラ装置１が接続されていない場合には、処理を終了する。
画像再生装置１１は、生成した鍵ペアのうち公開鍵をデジタルカメラ装置１へ転送し、システム制御部２内のフラッシュメモリに格納させる。また、鍵ペアの他方は、画像再生装置１１内の格納装置に格納する。
【０００８】
次に、暗号鍵を用いた撮影時の動作について説明する。以下、暗号鍵を用いた撮影を“秘匿撮影モード”とも称する。
ユーザの操作によって撮影モードが設定されると、システム制御部２は、秘匿撮影モードに設定されたか否かを判断する。なお、秘匿撮影モードの設定は、一般的な撮影動作モードの設定と同様に、不図示の入力キーを用いたユーザの入力操作によって行われる。
秘匿撮影モードに設定されていない場合は、通常の撮影動作（従来のデジタルカメラと同様の撮影動作）を行う。一方、秘匿撮影モードに設定されている場合、システム制御部２は、公開鍵がシステム制御部２内のメモリに登録されているか否かを確認する。システム制御部２内のフラッシュメモリに公開鍵が一つも登録されていない場合、システム制御部２は、表示制御部５を駆動して警告メッセージをＬＣＤ６に表示させた後、通常の撮影動作へ移行する。
システム制御部２内のフラッシュメモリに公開鍵が少なくとも一つ格納されている場合、システム制御部２は、ＡＥＳなどの共通暗号鍵方式に基づく共通鍵を生成する。共通鍵の生成にあたっては、システム制御部２は、その時の日時やデジタルカメラ装置１が起動されてからの経過時間、各種調整値データなどをシードとする。秘匿撮影モード時にユーザによって撮影操作が行われると、システム制御部２は撮像部３や画像処理部４を駆動して撮影動作を行う。なお、撮影操作がユーザによって行われず、撮影終了の操作が行われた場合には、システム制御部２は処理を終了する。
撮影動作の後、システム制御部２は、画像処理部４を制御し、画像処理後の撮像データから再生時の表示用データを作成させ、画像処理部４のメモリの所定の領域内に格納させる。システム制御部２は、圧縮御の画像データを画像処理部４から読み込み、そのデータを生成した共通鍵を用いて暗号化する。
さらに、システム制御部２は、画像処理部４によって作成されたサムネイルデータを画像処理部４から読み込み、そのデータをサムネイル用の共通鍵で暗号化する。ここで、サムネイル用共通鍵は、デジタルカメラ装置１のシリアル番号をシードとして生成されるカメラ固有の鍵データである。なお、シリアル番号は、システム制御部２のフラッシュメモリ内に出荷時に書き込まれている。
システム制御部２は、自身が備えるフラッシュメモリ内に格納されている公開鍵を読み出し、順次その公開鍵で共通鍵を暗号化して、公開鍵とともにヘッダへ追記していく。ヘッダ内に記録される鍵テーブルの一例を図４に示す。
図４に示したように、画像再生装置１１で生成され登録された公開鍵の情報と、個々の鍵で暗号化した共通鍵とをテーブル状に並べて追加していく。システム制御部２は、サムネイルデータ及び作成したヘッダ情報を画像データへ付加した後、画像ファイルとして記録メディアインターフェイス部７を介して記録メディア８へ書き込む。
以上の処理で１枚の撮影動作を完了し、新しい共通鍵を生成する。
撮影を終了するまで上記の処理を繰り返し実行する。
【０００９】
次に、本発明による画像データの転送時の画像再生装置１１の動作（実施形態１）について説明する前に、本発明をより良く理解するために、比較例の画像データの転送時の画像再生装置の動作について図３を参照して説明する。図３は、比較例の画像データの転送時の画像再生装置の動作のフローチャートである。
図３に示すように、まず、利用者からの転送開始の指示入力が行われると（ステップ３００）、まずカメラの接続状態を確認し（ステップ３０１）、接続されているとカメラに保持されている画像ファイル数、すなわち転送するファイル数を取得する（ステップ３０３）。
また、カメラが接続されていなければ、エラー終了し（ステップ３０２）、転送するべきファイルが無ければ終了する（ステップ３０４でＮＯ）。
次に、転送ファイルがあると（ステップ３０４でＹＥＳ）、そのデータを転送し（ステップ３０５）、ヘッダ内に鍵テーブル（図４参照）があるか否かを判別し（ステップ３０６）、鍵データが無い場合には通常の（暗号化されていない）ファイルと判断して、そのデータを保存し（ステップ３０７）、次のファイルの転送処理を行う。
また、鍵テーブルがあった場合には（ステップ３０６でＹＥＳ）、あらかじめ生成して記憶している鍵ペアを読み出し（ステップ３０８）、さらに画像ファイル内の鍵テーブル（図４参照）から１組の鍵を読み出して（ステップ３０９）、それらの公開鍵の情報を比較する（ステップ３１０）。
【００１０】
ここで、公開鍵が一致した場合（ステップ３１０でＹＥＳ）、その公開鍵に対応している暗号化された共通鍵を秘密鍵で復号し（ステップ３１３）、復号した鍵を用いてさらに画像データを復号して（ステップ３１４）、その復号画像データをメモリに保存して（ステップ３１５）、次のファイルの転送処理へ移る。
ここで、メモリには、復号された画像データのみが保存されるようになっている。従って、デジタルカメラ装置１よりの画像データを、さらに他のマルチメディアデータ再生装置（画像再生装置）へ転送処理する場合、上記保存された復号画像データを再度暗号化する必要があり、非常に不便であった。
また、公開鍵が一致しなかった場合（ステップ３１０でＮＯ）には、次の鍵の組みを読み出し（ステップ３１１）、次の鍵の組みがある場合、上記ステップ３０９に戻り、同様の処理を行う（ステップ３０９−３１５）。
そして、すべての鍵が一致しなかった場合（ステップ３１１でＮＯ）には、この装置では転送できない由の警告を表示し（ステップ３１２）、次のファイルの転送処理へ移る。
なお、保存先のフォルダは、あらかじめ利用者により設定されているものとする。
【００１１】
次に、図５を参照して、本発明による画像データの転送時の画像再生装置１１の動作（実施形態１）について説明する。図５は、本発明による画像データの転送時の画像再生装置１１の動作（実施形態１）のフローチャートである。
本実施形態１では、通常の（暗号化されていない）ファイルと復号したファイルをdataフォルダ１１Ｂ１へ、暗号化されたままのデータをCryptDataフォルダ１１Ｂ２へ、復号できなかったデータをCryptData/undecryptフォルダ１１Ｂ３へ保存する様に動作し、これらのフォルダ情報は、あらかじめ利用者により設定されているものとする。
図５に示すように、まず、利用者からの転送開始の指示入力が行われると（ステップ５００）、まずカメラの接続状態を確認し（ステップ５０１）、接続されているとカメラに保持されている画像ファイル数、すなわち転送するファイル数を取得する（ステップ５０３）。
また、カメラが接続されていなければ、エラー終了し（ステップ５０２）、転送するべきファイルが無ければ終了する（ステップ５０４でＮＯ）。
次に、転送ファイルがあると（ステップ５０４でＹＥＳ）、そのデータを転送し（ステップ５０５）、ヘッダ内に鍵テーブル（図４参照）があるか否かを判別し（ステップ５０６）、鍵データが無い場合には通常の（暗号化されていない）ファイルと判断して、そのデータを保存し（ステップ５０７）、次のファイルの転送処理を行う。
また、鍵テーブルがあった場合には（ステップ５０６でＹＥＳ）、あらかじめ生成して記憶している鍵ペアを読み出し（ステップ５０８）、さらに画像ファイル内の鍵テーブル（図４参照）から１組の鍵を読み出して（ステップ５０９）、それらの公開鍵の情報を比較する（ステップ５１０）。
ここで、公開鍵が一致した場合（ステップ５１０でＹＥＳ）、その公開鍵に対応している暗号化された共通鍵を秘密鍵で復号し（ステップ５１３）、復号した鍵を用いてさらに画像データを復号して（ステップ５１４）、暗号化されたままの元の画像データをCryptDataフォルダ１１Ｂ２へ保存し（ステップ５１６）、さらに復号した画像データをDataフォルダ１１Ｂ１へ保存し（ステップ５１７）、次のファイルの転送処理へ移る。
すなわち、マルチメディアデータ再生装置（画像再生装置）１１のメモリには、暗号化されたままの元の画像データおよび復号された画像データの両方が別々のフォルダに保存されるようになっている。従って、このマルチメディアデータ再生装置（画像再生装置）１１が、デジタルカメラ装置１よりの画像データを、さらに他のマルチメディアデータ再生装置（画像再生装置）へ転送処理する場合、暗号化されたままの元の画像データをフォルダより読み出せば良く、上記保存された復号画像データを再度暗号化する必要がなくなる。
また、公開鍵が一致しなかった場合（ステップ５１０でＮＯ）には、次の鍵の組みを読み出し（ステップ５１１）、次の鍵の組みがある場合、上記ステップ２０９に戻り、同様の処理を行う（ステップ５０９−５１７）。
そして、すべての鍵が一致しなかった場合（ステップ５１１でＮＯ）には、この装置では転送できない由の警告を表示し（ステップ５１２）、元のデータをCryptData/undecryptフォルダ１１Ｂ３へ保存し（ステップ５１３）、次のファイルの転送処理を行う。
【００１２】
次に、本発明による画像データの再生時の画像再生装置１１の動作（実施形態２）について説明する前に、本発明をより良く理解するために、比較例の画像データの再生時の画像再生装置の動作について図６を参照して説明する。図６は、比較例の画像データの再生時の画像再生装置の動作のフローチャートである。
図６に示すように、画像再生装置の制御部は、記録メディア８から画像ファイルを読み出すと、ヘッダ内に図４に示したような鍵テーブルが存在するか否かを確認し（ステップ６００、６０１）、鍵データが存在しない場合には（ステップ６０１／Ｎｏ）、通常の再生動作（従来のデジタルカメラと同様の再生動作）を行う（ステップ６０２）。
一方、画像ファイルのヘッダ内に鍵テーブルが存在する場合には（ステップ６０１／Ｙｅｓ）、画像再生装置１１が生成し、メモリに格納している鍵ペアを読み出して（ステップ６０３）、さらに画像ファイル内の鍵テーブルから一組の鍵を読み出し（ステップ６０４）、それらの公開鍵の情報を比較する（ステップ６０５）。
公開鍵が一致していた場合（ステップ６０５／Ｙｅｓ）、その公開鍵に対応している暗号化された共通鍵を秘密鍵で復号化し（ステップ６０８）、復号化した鍵を用いてさらに画像データを復号して再生する（ステップ６０９、６１０）。
公開鍵が一致しなかった場合には（ステップ６０５／Ｎｏ）、画像ファイルのヘッダに他の鍵が存在するかを確認し（ステップ６０６）、存在するならば（ステップ６０６／Ｙｅｓ）次の鍵の組を読み出して同様の処理を行う（ステップ６０４、ステップ６０５）。
全ての公開鍵が一致しなかった場合は（ステップ６０６／Ｎｏ）、画像再生装置１１では再生できない画像である旨の警告を画像再生装置１１が表示して（ステップ６０７）、処理を終了する。
この再生動作においては、メモリには、データが保存されるようになってはいない。従って、デジタルカメラ装置１よりの画像データを、さらに他のマルチメディアデータ再生装置（画像再生装置）へ転送処理する場合、上記復号画像データを再度暗号化する必要があり、非常に不便であった。
【００１３】
次に、図７を参照して、本発明による画像データの再生時の画像再生装置１１の動作（実施形態２）について説明する。図７は、本発明による画像データの再生時の画像再生装置１１の動作（実施形態２）のフローチャートである。
本実施形態２では、復号したデータを、再生ファイルの置かれている下の/decryptフォルダ１１Ｂ４へ保存し、また、復号できなかった暗号データの元ファイルを、再生ファイルの置かれている下の/undecryptフォルダ１１Ｂ５へ移動する様に動作するようにしている。なお、これらのフォルダ情報は、あらかじめ利用者により設定されているものとする。
図７に示すように、画像再生装置の制御部は、記録メディア８から画像ファイルを読み出すと、ヘッダ内に図４に示したような鍵テーブルが存在するか否かを確認し（ステップ７００、７０１）、鍵データが存在しない場合には（ステップ７０１／Ｎｏ）、通常の再生動作（従来のデジタルカメラと同様の再生動作）を行う（ステップ７０２）。
一方、画像ファイルのヘッダ内に鍵テーブルが存在する場合には（ステップ７０１／Ｙｅｓ）、画像再生装置１１が生成し、メモリに格納している鍵ペアを読み出して（ステップ７０３）、さらに画像ファイル内の鍵テーブルから一組の鍵を読み出し（ステップ７０４）、それらの公開鍵の情報を比較する（ステップ７０５）。
公開鍵が一致していた場合（ステップ７０５／Ｙｅｓ）、その公開鍵に対応している暗号化された共通鍵を秘密鍵で復号化し（ステップ７０９）、復号化した鍵を用いてさらに画像データを復号し（ステップ７１０）、その復号化された画像データを/decryptフォルダ１１Ｂ４へ保存し（ステップ７１１）、その復号した画像データを再生する（ステップ７１２）。
公開鍵が一致しなかった場合には（ステップ７０５／Ｎｏ）、画像ファイルのヘッダに他の鍵が存在するかを確認し（ステップ７０６）、存在するならば（ステップ７０６／Ｙｅｓ）次の鍵の組を読み出して同様の処理を行う（ステップ７０４、ステップ７０５）。
全ての公開鍵が一致しなかった場合は（ステップ７０６／Ｎｏ）、画像再生装置１１では再生できない画像である旨の警告を画像再生装置１１が表示し（ステップ７０７）、復号できなかった暗号データの元ファイルを、再生ファイルの置かれている下の/undecryptフォルダ１１Ｂ５へ移動し（ステップ７０８）、処理を終了する。
【００１４】
すなわち、この再生動作においては、マルチメディアデータ再生装置（画像再生装置）１１のメモリには、暗号化されたままの元の画像データおよび復号された画像データの両方が別々のフォルダに保存されるようになっている。従って、このマルチメディアデータ再生装置（画像再生装置）１１が、デジタルカメラ装置１よりの画像データを、さらに他のマルチメディアデータ再生装置（画像再生装置）へ転送処理する場合、暗号化されたままの元の画像データをフォルダより読み出せば良く、上記保存された復号画像データを再度暗号化する必要がなくなる。
本実施例においては、暗号化手順を元に、暗号化された画像データを処理する例について示したが、暗号方式やデータの内容は他のものでも良く、たとえば、パスワードで暗号化されている音声データなどへ適用することも可能である。
【図面の簡単な説明】
【００１５】
【図１】本発明によるマルチメディアデータ再生装置を有するデジタルスチルカメラシステムの一実施形態のブロック構成図である。
【図２】図１に示したマルチメディアデータ再生装置（画像再生装置）のＲＡＭ内のフォルダの構成を示す説明図である。
【図３】比較例の画像データの転送時の画像再生装置の動作のフローチャートである。
【図４】ヘッダ内に記録される鍵テーブルの構成例を示す図である。
【図５】本発明による画像データの転送時の画像再生装置の動作（実施形態１）のフローチャートである。
【図６】比較例の画像データの再生時の画像再生装置の動作のフローチャートである。
【図７】本発明による画像データの再生時の画像再生装置１１の動作（実施形態２）のフローチャートである。
【符号の説明】
【００１６】
１…デジタルスチルカメラ装置、２…システム制御部、３…撮像部、４…画像処理部、５…表示制御部、６…ＬＣＤ、７…記録メディアインターフェイス部、８…記録メディア、９…ハードキーインターフェイス部、１０…通信インターフェイス部、１１…画像再生装置、１１Ｂ…ＲＡＭ
【図１】
2006085305.tif 000003
【図２】
2006085305.tif 000004
【図３】
2006085305.tif 000005
【図４】
2006085305.tif 000006
【図５】
2006085305.tif 000007
【図６】
2006085305.tif 000008
【図７】
2006085305.tif 000009